(57)【要約】【課題】舗装路に生じた溝やクラック等の損傷を効率よく且つ精度よく補修することができる舗装路補修装置を提供する。【解決手段】舗装路補修装置１００を、被補修部内を洗浄するための水を収納する水収納容器１と、被補修部内に充填するための充填材を収納する充填材収納容器２と、水収納容器１に収納した水を高圧水にするためのエンジン付きコンプレッサー３とを備えた台車１０と、高圧水を被補修部内に放出させる水用ノズル４と、充填材を被補修部内に放出させる充填材用ノズル５と、水用ノズル４及び充填材用ノズル５を被補修部の上方に誘導する誘導装置６とを備えた補助台車２０とから構成する。この舗装路補修装置１００において、補助台車２０は、台車１０に追従しつつ、誘導装置６が被補修部内を進行するように、台車１０に連結した構成とする。【選択図】  図１
2009007814.tif 000002
【特許請求の範囲】
【請求項１】
舗装路に生じた被補修部内を高圧水で洗浄した後に、前記被補修部内に充填材を充填することで、前記被補修部を補修する舗装路補修装置であって、
前記被補修部内を洗浄するための水を収納する水収納容器と、前記被補修部内に充填するための充填材を収納する充填材収納容器と、前記被補修部内に充填された充填材を噴射するための空気圧縮機とを備えた台車と、
前記高圧水を前記被補修部内に放出させる水用ノズルと、前記充填材を前記被補修部内に放出させる充填材用ノズルと、前記水用ノズル及び前記充填材用ノズルを前記被補修部の上方に誘導する誘導装置とを備えた補助台車と、からなり、
前記補助台車は、前記台車に追従しつつ、前記誘導装置が前記被補修部内を進行するように、前記台車に連結されていることを特徴とする舗装路補修装置。
【請求項２】
前記補助台車は、その進行方向に沿って略同一直線上に、前記誘導装置、前記水用ノズル、及び前記充填材用ノズルを進行方向前方からこの順で配置していることを特徴とする請求項１に記載の舗装路補修装置。
【請求項３】
前記補助台車は、その進行方向に沿って複数の誘導装置を備えるとともに、その進行方向前方が前記台車に連結され、この連結部を支点として前記台車の幅方向に水平揺動しつつ進行するように構成されていることを特徴とする請求項１又は２に記載の舗装路補修装置。
【請求項４】
前記補助台車は、前記台車の高さ方向及び幅方向に変位しつつ進行するように、前記台車に連結されていることを特徴とする請求項１から３のいずれかに記載の舗装路補修装置。
【請求項５】
前記補助台車は、前記被補修部内に放出させた前記充填材を該被補修部内に押圧して充填するための押圧部材をさらに備えていることを特徴とする請求項１から４のいずれかに記載の舗装路補修装置。
【請求項６】
前記補助台車は、前記被補修部内に充填させた前記充填材の表面を均すための表面仕上げ部材をさらに備えていることを特徴とする請求項１から５のいずれかに記載の舗装路補修装置。
【発明の詳細な説明】
【技術分野】
【０００１】
本発明は、舗装路に生じた溝やクラック等の損傷を補修するために用いられる舗装路補修装置に関するものである。
【背景技術】
【０００２】
舗装路に溝やクラック等の損傷が生じると、車両や歩行者が通行する際に安全性を損なうとともに、地面が露出して雑草が生育し、かかる雑草の成長に伴って損傷が大きくなり易くなるため、これらの損傷は早急に補修する必要がある。
【０００３】
このため、舗装路に生じた溝やクラック等の損傷を効率よく且つ速やかに補修する技術が社会的に要請されている。
【０００４】
上記要請に応えるべく、本発明者は、特許文献１において、走行用車輪を有する台車上に、舗装路に生じた溝やクラック内を洗浄するための洗浄水を収納する水収納容器と、洗浄水を高圧で噴射させるための空気圧縮機と、舗装路に生じた溝やクラック内に充填するための充填材を収納する充填材収納容器と、空気圧縮機で形成した高圧洗浄水を噴射するノズルと、充填材を噴射するノズルと、を備えた舗装路補修装置の提案を行っている。この舗装路補修装置によれば、舗装路に生じた溝やクラックの延伸方向に合わせて台車を移動させながら、溝やクラック内を高圧洗浄水で洗浄した後、溝やクラック内に充填材を充填することで舗装路を補修することができる。
【特許文献１】特願２００６−２８３２０９号公報
【発明の開示】
【発明が解決しようとする課題】
【０００５】
ところで、上述した特許文献１に記載の舗装路補修装置においては、水収納容器、空気圧縮器、及び充填材収納容器を設置した台車に、高圧洗浄水用ノズルと充填材用ノズルを備え、これらのノズルを溝やクラックの上方に位置するように台車を移動させながら、舗装路の補修を行う構成となっている。
【０００６】
しかしながら、水収納容器等を設置した台車は総重量が重く、小回りがきき難いため、舗装路に生じた溝やクラックが比較的大きい場合や直線状に延伸している場合にはあまり問題はないが、舗装路に生じた溝やクラックが比較的小さい場合や曲線状に延伸している場合には、溝やクラックの上方に各種ノズルが位置するように台車を微調整しながら動かすことが難しく、効率よく且つ精度よく補修作業を行うという点でさらなる改善の余地があった。
【０００７】
そこで、本発明は、上記事情に鑑みてなされたものであり、舗装路に生じた溝やクラック等の損傷を効率よく且つ精度よく補修することができる舗装路補修装置を提供することを課題としている。
【課題を解決するための手段】
【０００８】
このような課題を解決するために、本発明は、舗装路に生じた被補修部内を高圧水で洗浄した後に、前記被補修部内に充填材を充填することで、前記被補修部を補修する舗装路補修装置であって、前記被補修部内を洗浄するための水を収納する水収納容器と、前記被補修部内に充填するための充填材を収納する充填材収納容器と、前記水収納容器に収納した水を高圧水にするための空気圧縮機とを備えた台車と、前記高圧水を前記被補修部内に放出させる水用ノズルと、前記充填材を前記被補修部内に放出させる充填材用ノズルと、前記水用ノズル及び前記充填材用ノズルを前記被補修部の上方に誘導する誘導装置とを備えた補助台車と、からなり、前記補助台車は、前記台車に追従しつつ、前記誘導装置が前記被補修部内を進行するように、前記台車に連結されていることを特徴とする舗装路補修装置を提供する。
なお、本発明において被補修部とは、舗装路に生じた溝やクラック等の損傷を指す。
【０００９】
本発明に係る舗装路補修装置によれば、水用ノズル、充填材用ノズル、及び誘導装置を備えた補助台車を、水収納容器、充填材収納容器、及び空気圧縮機を備えた台車とは別に備え、補助台車を、台車に追従しつつ、誘導装置が被補修部内を進行するように、台車に連結させたことにより、水収納容器等を載積し、総重量の重い台車の動きを微調整しなくても、被補修部の上方に、水用ノズル及び充填材用ノズルを容易に位置させることができるようになる。よって、特に、舗装路に生じた被補修部が比較的小さい場合や曲線状に延伸している場合であっても、被補修部の補修作業を効率よく且つ精度よく行うことができる。
【００１０】
ここで、本発明に係る舗装路補修装置において、前記補助台車の進行方向に沿って略同一直線上に、前記誘導装置、前記水用ノズル、及び前記充填材用ノズルを進行方向前方からこの順で配置した構成としてもよい。
このような構成とすることにより、誘導装置が通過後の被補修部に対して、水用ノズルによる高圧水の放出と充填材用ノズルによる充填材の放出とを台車の進行に伴って順次行うことが可能となるため、被補修部の補修作業をより効率よく且つ精度よく行うことができる。
【００１１】
また、本発明に係る舗装路補修装置において、前記補助台車は、その進行方向に沿って複数の誘導装置を備えるとともに、その進行方向前方が前記台車に連結され、この連結部を支点として前記台車の幅方向に水平揺動しつつ進行するように構成してもよい。
このような構成とすることにより、補助台車の台車に対する追従範囲がより広くなり、被補修部の上方に、水用ノズル及び充填材用ノズルをより容易に位置させることができるため、被補修部の補修作業をより効率よく且つ精度よく行うことができる。
【００１２】
さらに、本発明に係る舗装路補修装置において、前記補助台車は、前記台車の高さ方向及び幅方向に変位しつつ進行するように、前記台車に連結された構成としてもよい。
このような構成とすることにより、補助台車と台車との間に段差や障害物が存在する場合であっても、補助台車を、台車に追従しつつ、誘導装置が被補修部内を進行するように案内することが可能となるため、被補修部の補修作業をより効率よく且つ精度よく行うことができる。
【００１３】
さらに、本発明に係る舗装路補修装置においては、前記補助台車に、前記被補修部内に放出させた前記充填材を該被補修部内に押圧して充填するための押圧部材をさらに備えた構成としてもよい。
このような構成とすることにより、台車の進行に伴って、被補修部内に放出させた充填材を被補修部内に確実に充填することが可能となるため、被補修部の補修作業をより効率よく且つ精度よく行うことができる。
【００１４】
さらに、本発明に係る舗装路補修装置においては、前記補助台車に、前記被補修部内に充填させた前記充填材の表面を均すための表面仕上げ部材をさらに備えた構成としてもよい。
このような構成とすることにより、台車の進行に伴って、被補修部内に充填させた充填材の表面を均すことが可能となるため、被補修部の補修作業をより効率よく且つ精度よく行うことができる。
【発明の効果】
【００１５】
本発明に係る舗装路補修装置によれば、舗装路に生じた溝やクラック等の損傷を効率よく且つ精度よく補修することができる。
【発明を実施するための最良の形態】
【００１６】
以下、本発明の実施形態について図面を参照しながら詳細に説明する。
【００１７】
図１は、本実施形態における舗装路補修装置を示す斜視図である。図２は、本実施形態における舗装路補修装置の補助台車を示し、（ａ）は平面図、（ｂ）は、図２（ａ）のＡ矢視図である。図３は、本実施形態における舗装路補修装置を示す背面図である。
【００１８】
この舗装路補修装置１００は、図1に示すように、台車１０と補助台車２０とからなり、補助台車２０は台車１０に追従しつつ進行するように構成されている。
【００１９】
台車１０は、図１及び図３に示すように、台座部１０ａとハンドル部１０ｂとを備えた側面視略Ｌ字状の鉄製フレームの底面に、走行用車輪として一対の前輪１３ａ及び後輪１３ｂがそれぞれ車軸を介して回転自在に設けられた構成となっている。なお、舗装路補修装置１００の進行方向を自在に調整可能とするために、走行用車輪のうち少なくとも後輪１３ｂは、キャスター角を有する構成とすることが好ましい。
【００２０】
ここで、台座部１０ａの上面には、被補修部内に放出させる水を収納するための水収納容器１と、被補修部内に放出させる充填材を収納するための充填材収納容器２と、水収納容器１内の水を高圧水とするエンジン付きコンプレッサー３と、水収納容器１に接続され、水収納容器１からの高圧水の放出量及び放出圧力を制御する水用レギュレータ８と、充填材収納容器２に接続され、充填材収納容器２からの充填材の放出量及び放出圧力を制御する充填材用レギュレータ９と、が載積されている。
【００２１】
水収納容器１としては、例えば、１０リットル程度の一般的なポリエチレン製タンク等を用いることができる。ここで、タンク容量や素材は、特に限定されず、装置全体の形状や総重量を考慮して適宜変更することができる。
【００２２】
充填材収納容器２としては、例えば、２０リットル程度の一般的な鉄製ホッパーを用いることができる。ここで、ホッパーの上部には充填材を投入するための漏斗２１が嵌合可能となっており、下部には充填材を排出するための排出口２２が設けられている。
【００２３】
なお、充填材は、補修する舗装路や被補修部の大きさ等に応じて、適宜選択して用いる。例えば、充填材の一例として、ケイ砂、パーライト、焼却灰等の骨材及びセメントからなるモルタルと、接着剤と、膨張剤と、からなり、これらの重量比が、モルタル：接着剤：膨張剤＝８．０（骨材：セメント=７．８：０．２）：０．１：０．１の充填材を用いることができる。特に、焼却灰の再利用・再資源化を図るために、充填材をなす骨材として、焼却灰を用いることが好ましい。
【００２４】
エンジン付きコンプレッサー３は、ガソリンエンジン等の原動機により、水収納容器１に収納された水を用いて、所定の高圧水を形成する装置であり、特に限定されず、公知の一般的な構造のものを用いることができる。
【００２５】
補助台車２０は、直線状の金属製フレームからなり、その進行方向前後には、走行用車輪として一対の前輪２２ａ及び後輪２２ｂがそれぞれ車軸を介して回転自在に設けられている。
【００２６】
また、補助台車２０の前輪２２ａ及び後輪２２ｂのそれぞれ近傍には、走行用車輪２２ａ，２２ｂよりも大きな外径を有する誘導装置６、６が設けられている。
【００２７】
さらに、補助台車２０の中央部において、前輪２２ａの近傍に設けられた誘導装置６の進行方向後方には水用ノズル４と、充填材用ノズル５とが進行方向前方からこの順で固定されている。さらに、補助台車２０の後輪２２ｂよりも進行方向後方には、被補修部内に充填された充填材の表面を均すための表面仕上げヘラ７が固定されている。
【００２８】
すなわち、補助台車２０には、図２（ａ）に示すように、その進行方向前方から、前輪２２ａ、誘導装置６、水用ノズル４、誘導装置６、充填材用ノズル５、誘導装置６、後輪２２ｂ、及び表面仕上げヘラ７が、進行方向に沿った略同一直線Ｘ上に配置されている。
【００２９】
かかる補助台車２０は、台車１０に対し固定ステー１１を介して固定的に連結させる構成とすることも可能であるし、あるいは、台車１０の幅方向に水平揺動可能に連結させる構成とすることも可能である。
【００３０】
台車１０の幅方向に水平揺動可能な構成を採用する場合、具体的には、図２に示すように、台車１０の進行方向前方（図２（ａ）では右側）における一側面に、その高さ方向の位置が同じで、且つ、その進行方向に所定間隔を空けて、側面から突出する一対の固定ステー１１，１１が設けられており、この一対の固定ステー１１，１１間には、その突出方向先端部側と突出方向基端部側とのそれぞれにストッパ部材１２，１２が取り付けられている。
【００３１】
一方、補助台車２０の進行方向前方（図２（ｂ）では右側）における上面には、固定ピン嵌合部２１が設けられている。そして、台車１０に設けられた一対の固定ステー１１，１１間に、補助台車２０に設けられた固定ピン嵌合部２１を配置して、上方からノブ付き固定ピン３０を嵌合させることで、台車１０と補助台車２０とが連結されている。
【００３２】
これにより、補助台車２０は、図２（ａ）に示すように、固定ピン３０が一対の固定ステー１１，１１間に設けられたストッパ部材１２，１２間を、固定ステー１１，１１の突出方向（台車１０の幅方向、図２（ａ）の上下方向）に変位可能で、且つ、固定ピン３０を支点として、台車１０の水平方向に揺動可能となっている。
【００３３】
なお、図面では、固定ピン３０が一対の固定ステー１１，１１間に設けられたストッパ部材１２，１２間を変位可能な構造を採用した場合について示しているが、該固定ピン３０を変位させずに固定ステー１１の所定箇所にて回動可能に固定する構造を採用することも可能である。その場合であっても補助台車２０は、回動可能に固定された固定ピン３０を支点として、台車１０の水平方向に揺動可能となる。
【００３４】
また、固定ステー１１が設けられた台車１０の側面において、その進行方向後方（図２（ａ）では左側）には、側面から突出して形成された仮固定ステー１１ａが設けられている。この仮固定ステー１１ａは、舗装路補修装置１００の不使用時や、舗装路の被補修部までの移動時に、補助台車２０の進行方向後方を固定して、台車１０の幅方向への水平揺動を抑制することで、補助台車２０の搬送性を向上させるために用いるものである。
【００３５】
さらに、補助台車２０において、図２（ｂ）に示すように、固定ピン嵌合部２１の上端２１ａが固定ステー１１の底面１１ｂと当接するまで、且つ、固定ピン３０のノブ底面３０ａが固定ステー１１の上面１１ａと当接するまでの範囲で、台車１０の高さ方向（図２（ｂ）では上下方向）に変位可能な構造を採用し得る。
すなわち、補助台車２０は、台車１０の高さ方向及び幅方向に対して所定範囲で変位しつつ、且つ、固定ピン３０による連結部を支点として台車１０の幅方向に水平揺動しつつ、台車１０に追従して進行するような構成とすることができる。
【００３６】
誘導装置６は、補助台車２０をなす金属製フレームに誘導軸６１を介して回転可能に固定されている。ここで、金属製フレームにおける誘導軸６１の固定部位には、補助台車２０の高さ方向に延伸する長孔２３が設けられており、誘導軸６１の軸芯が補助台車２０の高さ方向に変位可能となっている。
また、本実施形態において後輪２２ｂ側の誘導装置６は、被補修部内に充填材を放出した後、充填材を、被補修部内に押圧して充填する押圧部材としての機能も備えている。
【００３７】
水用ノズル４は、水収納容器１の排出口及び水用レギュレータ８と、それぞれチューブＣ１，Ｃ２を介して連結されており、水用レギュレータ８を調整することにより、所定量の高圧水を所定圧力で放出可能となっている。
充填材用ノズル５は、充填材収納容器２の排出口２２とチューブＣ３を介して連結されており、充填材用レギュレータ９を調整することにより、所定量の充填材を所定圧力で放出可能となっている。
【００３８】
表面仕上げヘラ７は、被補修部内に充填された充填材の表面を均すためのものであり、例えば、平板状のゴムヘラを用いることができる。
【００３９】
次に、この舗装路補修装置１００を用いて舗装路を補修する方法について、図面を参照しながら説明する。
図４は、本実施形態における舗装路補修装置の一使用例を示す斜視図である。
【００４０】
まず、エンジン付きコンプレッサー３を駆動して圧縮空気を作り、水用収納容器１内を所定圧力まで高めるとともに、充填材用レギュレータ９により充填材収納容器２内を所定圧力まで高める。
次に、台車１０のハンドル部１０ｂを操作して、補助台車２０の誘導装置６をそれぞれ被補修部内の補修開始箇所に位置させる。この時、台車１０を被補修部近傍まで搬送する際には、その搬送性を考慮して、補助台車２０が台車１０の幅方向に水平揺動しないように、仮固定ステー１１ａに補助台車２０の進行方向後方を固定した状態で搬送することが好ましい。
【００４１】
そして、図４に示すように、台車１０のハンドル部１０ｂを操作して、台車１０を被補修部の延伸方向に進行させつつ、水用ノズル４から所定の高圧水を放出させるとともに、充填材用ノズル５から充填材を放出させる。これにより、高圧水で洗浄された後の被補修部内に充填材が放出され、さらに、被補修部内に充填された充填材は後輪２２ｂ側の誘導装置６により押圧されて充填された後、その表面が表面仕上げヘラ７により仕上げられる。
【００４２】
この時、補助台車２０は、台車１０に追従しつつ、誘導装置６が被補修部内を進行するように、台車１０に連結されているため、台車１０のハンドル部１０ｂを操作して台車１０を進行させると、台車１０自体を被補修部の延伸方向に合わせて微調整しなくても、補助台車２０の誘導装置６に案内されて、水用ノズル４及び充填材用ノズル５が被補修部の上方に位置するようになる。
【００４３】
すなわち、本実施形態における舗装路補修装置１００によれば、水用ノズル４、充填材用ノズル５、及び誘導装置６を備えた補助台車２０を、水収納容器１、充填材収納容器２、及びエンジン付きコンプレッサー３を備えた台車１０とは別に備え、補助台車２０を台車１０に追従しつつ、台車１０とは別の軌道で進行するように連結させたことにより、補助台車２０は誘導装置６により案内されて、被補修部の上方に、水用ノズル４及び充填材用ノズル５を容易に位置させることができる。よって、特に、舗装路に生じた被補修部が比較的小さい場合や曲線状に延伸している場合であっても、被補修部の補修作業を効率よく且つ精度よく行うことができる。
【００４４】
また、本実施形態における舗装路補修装置１００によれば、補助台車２０を、台車１０の進行方向前方の側面に連結し、この連結部を支点として台車１０の幅方向に水平揺動させつつ進行させる構成としたことにより、補助台車２０の台車１０に対する追従範囲がより広くなるため、補助台車２０の誘導装置６が被補修部内を確実に進行できるようになる。
【００４５】
さらに、本実施形態における舗装路補修装置１００によれば、補助台車２０を台車１０に設けられた固定ステー１１に、台車１０の高さ方向及び幅方向に変位可能となるように、固定ピン３０を介して連結させた構成としたり、誘導装置６の車軸６１の軸芯を補助台車２０の高さ方向に変位可能な構成としたことにより、被補修部の深さや形状が変化したり、台車１０の走行用車輪１３ａ，１３ｂの軌道位置と補助台車２０の走行用車輪２２ａ，２２ｂの軌道位置との間に距離や段差があっても、補助台車２０の誘導装置６が被補修部内を確実に進行できるようになる。
【００４６】
さらに、本実施形態における舗装路補修装置１００によれば、補助台車２０に、その進行方向前方から、前輪２２ａ、誘導装置６、水用ノズル４、誘導装置６、充填材用ノズル５、誘導装置６、後輪２２ｂ、及び表面仕上げヘラ７を、進行方向に沿った略同一直線Ｘ上に配置した構成としたことにより、誘導装置６が通過後の被補修部に対して、水用ノズル４による高圧水の放出と充填材用ノズル５による充填材の放出を台車１０の進行に伴って順次行うことが可能となるため、被補修部の補修作業をより効率よく且つ精度よく行うことができる。
【００４７】
さらに、本実施形態における舗装路補修装置１００によれば、補助台車２０に、複数の誘導装置６を備えたことにより、誘導装置６が被補修部内をより安定して進行できるようになるため、誘導装置６による水用ノズル４及び充填材用ノズル５の誘導をより確実に行うことができる。
さらに、本実施形態における舗装路補修装置１００によれば、誘導装置６のうち一方を、充填材を被補修部内に押し込むための押圧部材として機能させた構成や、被補修部内に充填した充填材の表面を均す表面仕上げヘラ７をさらに備えた構成としたことにより、舗装路の補修をより効率よく且つ精度よく行うことができる。
【００４８】
なお、本実施形態では、空気圧縮機として、原動機を一体に備えたエンジン付きコンプレッサー３を用いた場合について説明したが、空気圧縮機と原動機とを別体で備えたものを用いてもよい。
また、本実施形態では、表面仕上げ部材として、表面仕上げヘラ７を用いた場合について説明したが、これに限らず、例えば、補助台車２０の進行に合わせて回転する回転ブラシを設けてもよい。
【００４９】
さらに、本実施形態では、二つの誘導装置６を設けた場合について説明したが、誘導装置６の設置数はこれに限らず、一つでもよいし、三つ以上設けてもよい。
さらに、本実施形態では、補助台車２０における後輪２２ｂ側の誘導装置６を押圧部材としても機能させた場合について説明したが、誘導装置６とは別に押圧部材を備えた構成としてもよい。
【図面の簡単な説明】
【００５０】
【図１】本実施形態における舗装路補修装置の斜視図である。
【図２】本実施形態における舗装路補修装置の補助台車を示し、（ａ）は平面図、（ｂ）は図２（ａ）のＡ矢視図である。
【図３】本実施形態における舗装路補修装置の背面図である。
【図４】本実施形態における舗装路補修装置を用いた舗装路の補修方法を示す斜視図である。
【符号の説明】
【００５１】
１    水収納容器
２    充填材収納容器
３    エンジン付きコンプレッサー（空気圧縮機）
４    水用ノズル
５    充填材用ノズル
６    誘導装置
７    表面仕上げヘラ（表面仕上げ部材）
１０    台車
２０    補助台車
１００    舗装路補修装置
【図１】
2009007814.tif 000003
【図２】
2009007814.tif 000004
【図３】
2009007814.tif 000005
【図４】
2009007814.tif 000006